(57)【要約】【課題】回転停止状態等の際に、一次側と二次側との間での熱伝達に伴う一次側や二次側での熱交換を抑制して、この熱交換による熱損失を軽減した熱交換ロータを提供する。【解決手段】本発明の熱交換ロータ１０は、熱伝導性を有した基材１４を備え、基材１４が、正面視中央を回転中心として回転円の円周方向に回転自在で、且つ回転円の円状の平面に直交した向きで通気性を有し、正面視回転中心を通る線上に、基材１４を二つ以上に円周方向で熱的に分断するセパレータ１３を設けたものである。これによって、本発明は、例えばセパレータ１３で一次側と二次側とを熱的に分断する等で、一次側と二次側との間での熱伝達に生じ難くすることができる。そのため、本発明は、前記熱伝達に伴う熱交換を抑制し易くすることができて、この熱交換による熱損失を軽減し易くすることができる。【選択図】図１
2013200051.tif 000002
【特許請求の範囲】
【請求項１】
熱伝導性を有した基材を備え、
前記基材が、正面視中央を回転中心として回転円の円周方向に回転自在で、且つ回転円の円状の平面に直交する向きで通気性を有し、
正面視回転中心を通る線上に、前記基材を二つ以上に円周方向で熱的に分断するセパレータを設けたものであることを特徴とする熱交換ロータ。
【請求項２】
調湿換気モードと非調湿換気モードとを有した空調機器に設けられる、潜熱式の調湿ロータであって、
前記基材を、乾燥剤を担持したシート状の紙部材で形成したものであることを特徴とする請求項１記載の熱交換ロータ。
【請求項３】
調温換気モードと非調温換気モードとを有した機器に設けられる、顕熱式の調温ロータであって、
前記基材を、金属部材で形成したものであることを特徴とする請求項１記載の熱交換ロータ。
【発明の詳細な説明】
【技術分野】
【０００１】
本発明は、熱交換ロータに関し、詳しくは、空調機器に設けられ、回転状態と回転停止状態との二つの状態で用いられる潜熱式や顕熱式の熱交換ロータに関する。
【背景技術】
【０００２】
従来から、空調機器として、屋内への給気を除湿したり加湿したりする調湿ロータや、屋内への給気を加温したり冷却したり調温ロータ等の熱交換ロータを備えたものがある。例えば、特許文献１のデシカント空調装置では、屋外の空気を吸気路を介して屋内に供給する吸気手段と、屋内の空気を排気路を介して屋外に排出する排気手段と、吸気路と排気路に跨って設けられ回転駆動する吸湿体と、前記空気又は吸湿体を加熱する加熱手段とを備える。この空調装置は、吸気路又は排気路のうちの一方を流れる空気から吸湿体で吸湿を行うことで、この空気を除湿する。そして、この空調装置は、吸気路又は排気路のうちの残りの一方を流れる空気を加熱手段で加熱した後、吸湿体に流入して、この空気で吸湿体を加熱して放湿を行うことで、この空気を加湿する。そして、この吸湿体に、前記調湿ロータ（熱交換ロータ）が用いられる。
【０００３】
更に、調湿ロータ（吸湿体）は、回転駆動されることで、除湿に用いる領域に位置した部位を、加湿に用いる領域に移動させたり、加湿に用いる領域に位置した部位を、除湿に用いる領域に移動させたりする。そして、前記空調装置では、この移動によって、除湿に用いた部位で加湿を行ったり、加湿に用いた部位で除湿を行ったりして、吸湿体の除湿機能や放湿機能を再生する。
【０００４】
また、前記空調装置では、吸湿体の回転を停止した状態で、排気手段により屋内空気を屋外に排出すると共に吸気手段により屋外空気を屋内に供給することで、加湿や除湿を伴わない（行わない）換気も行うことができる。
【先行技術文献】
【特許文献】
【０００５】
【特許文献１】特開２００８−１６４２０３号公報
【発明の概要】
【発明が解決しようとする課題】
【０００６】
ところで、特許文献１等の従来の空調機器では、熱交換ロータの回転を停止した状態で換気等を行った場合、熱交換ロータは、一次側（例えば、前記除湿に用いる領域側）と二次側（例えば、前記加湿に用いる領域側）との間で、熱伝達を生じることがある。そして、この場合、熱交換ロータは、前記熱伝達に伴って、一次側や二次側で流通する空気との意図しない熱交換を行い易くなる。そのため、従来の構成では、前述のような熱交換ロータの回転停止状態等の際に、前記意図しない熱交換によって、熱交換ロータや前記空気に熱損失を生じ易くなるという問題がある。
【０００７】
本発明は前記従来の課題に鑑みてなされたものであって、その目的とするところは、熱交換ロータの回転停止状態等の際に、前記熱伝達に伴う一次側や二次側での熱交換を抑制して、この熱交換による熱損失を軽減した熱交換ロータを提供することにある。
【課題を解決するための手段】
【０００８】
上記課題を解決するために、本発明の熱交換ロータ１０は、熱伝導性を有した基材１４を備え、前記基材１４が、正面視中央を回転中心として回転円の円周方向に回転自在で、且つ回転円の円状の平面に直交する向きで通気性を有し、正面視回転中心を通る線上に、前記基材１４を二つ以上に円周方向で熱的に分断するセパレータ１３を設けたものであることを特徴とする。
【０００９】
この構成とすることで、例えば、熱交換を行わない際に、一次側の領域と二次側の領域との境目にセパレータ１３を位置させて熱交換ロータ１０を回転停止状態にすることで、一次側の領域と二次側の領域とを熱的に分断することができる。これによって、前記構成では、熱交換を行わない回転停止状態で用いた際等に、意図しない（目的としない）熱伝達を生じ難くすることができる。
【００１０】
また、この熱交換ロータ１０として、調湿換気モードと非調湿換気モードとを有した空調機器１に設けられる、潜熱式の調湿ロータ２ａであって、前記基材１４を、乾燥剤を担持したシート状の紙部材で形成したものであることが好ましい。
【００１１】
この構成では、例えば非調湿換気モードで熱交換を行わない際に、一次側の領域と二次側の領域との境目にセパレータ１３を位置させて熱交換ロータ１０を回転停止状態にすることで、一次側の領域と二次側の領域とを熱的に分断することができる。これによって、前記構成では、前記回転停止状態の非調湿換気モード等の際に、一次側と二次側との間での熱伝達を抑制して、意図しない乾燥剤での除湿や加湿等の調湿（熱交換）を生じ難くすることができる。
【００１２】
また、この熱交換ロータ１０として、調温換気モードと非調温換気モードとを有した機器に設けられる、顕熱式の調温ロータ３ａであって、前記基材１４を、金属部材で形成したものであることが好ましい。
【００１３】
この構成では、例えば非調温換気モードで熱交換を行わない際に、一次側の領域と二次側の領域との境目にセパレータ１３を位置させて熱交換ロータ１０を回転停止状態にすることで、一次側の領域と二次側の領域とを熱的に分断することができる。これによって、前記構成では、前記回転停止状態の非調温換気モードの際に、一次側と二次側との間での熱伝達を抑制して、意図しない加熱や冷却等の調温（熱交換）を生じ難くすることができる。
【発明の効果】
【００１４】
本発明は、前記構成を備えたことで、例えば、前記回転停止時状態とした際に、一次側の領域と二次側の領域との間をセパレータで熱的に分断した状態等にすることができる。そのため、本発明は、例えば前記熱的に分断した状態等にすることで、一次側（の領域）と二次側（の領域）との間での熱伝達を生じ難くすることができる。これによって、本発明は、前記回転停止状態等の際に、一次側や二次側での、前記熱伝達に伴う意図しない熱交換を抑制し易くすることできて、意図しない熱交換による熱損失を軽減し易くすることができる。
【図面の簡単な説明】
【００１５】
【図１】実施形態の熱交換ロータであり、（ａ）が正面図であり、（ｂ）が一部を透過した斜視図である。
【図２】基材を拡大した正面図である。
【図３】調湿ロータを備えた空調機器の構成説明図である。
【図４】調湿部であり、（ａ）が斜視図であり、（ｂ）がＢ−Ｂ断面でのケース及び軸部材の平面図である。
【図５】調湿ロータ及び駆動部の斜視図である。
【図６】調温ロータを備えた空調機器の構成説明図である。
【発明を実施するための形態】
【００１６】
以下、本発明を添付図面に示す実施形態に基づいて説明する。熱交換ロータ１０は、図１に示すように、円筒状の芯部材１１と、芯部材１１の外周に設けた熱交換体１２とを備える。そして、熱交換ロータ１０は、芯部材１１の円の略中心（円筒の軸心）を回転中心として、円周方向（軸周り）に回転自在になっている。芯部材１１は、熱交換体１２に比べて熱伝導性の低い部材（熱伝導の劣る部材）で形成してある。
【００１７】
熱交換体１２は芯部材１１より大径の略円筒状で、内周に芯部材１１が位置しており、円筒の最内周面で芯部材１１の外周面に固定してある。そして、熱交換体１２は、略円筒状の基材１４と、基材１４を円周方向で二つに区画するセパレータ１３とを備える。
【００１８】
セパレータ１３は軸方向に視て（正面視）回転円の中心を通る直線上に設けてある。そして、セパレータ１３は、基材１４を熱的に遮断した状態で二つに区画する。そのため、セパレータ１３は、基材１４に比べて熱伝導性の低い部材（熱伝導の劣る部材）で形成してあり、例えば、プラスチックや断熱材等で形成してある。
【００１９】
基材１４は、セパレータ１３によって、一方の半周部位（第１部位１４ａ）と、残りの一方の半周部位（第２部位１４ｂ）とに区画される。言い換えると、基材１４は、正面視略半円形状の第１部位１４ａと、正面視略半円形状の第２部位１４ｂとを有する。第１部位１４ａと第２部位１４ｂとは、セパレータ１３を介して正面視略円形状となるように、セパレータ１３に取り付けてある。そして、第１部位１４ａと第２部位１４ｂとは、正面視中心を通る直線状のセパレータ１３で熱的に分断してある。そのため、基材１４は、第１部位１４ａと第２部位１４ｂとの間で熱の移動（熱伝達）が生じ難くなっている。
【００２０】
また、基材１４は軸方向に通気性を有しており、例えば、軸方向に通気可能な空間（通気路１６）を有したハニカム構造になっている。そして、基材１４は、例えば、シート材１５で形成してあり、シート材１５の板面が円筒の周面になっている。このシート材１５は、図２に示すように、正面視円弧状の第１シート材１５ａと、正面視波状で且つ正面視円弧状に屈曲した第２シート材１５ｂとを有する。第１シート材１５ａは複数枚設けてあり、円弧の径が各々異なっている。そして、第１シート材１５ａは径方向に所定の間隔（隙間）を空けた状態で、径方向に略同心で複数並んで配置してある。そして、隙間には第２シート材１５ｂが配置してある。
【００２１】
第２シート材１５ｂは波の頂部で第１シート材１５ａに取り付けてあり、前記隙間を、内周側の第１シート材１５ａとで囲む空間と、外周側の第１シート材１５ａとで囲む空間とに区画する。そして、この空間が、熱交換体１２の軸方向に空気を流通可能な通気路１６になっている。そのため、熱交換体１２は、通気路１６の表面積が第１シート材１５ａのみで形成した場合に比べて広くなっており、熱交換ロータ１０は空気との熱交換を行い易くしてある。
【００２２】
更に、熱交換ロータ１０は、第１部位１４ａと第２部位１４ｂとにセパレータ１３で熱的に分断したことで、第１部位１４ａから第２部位１４ｂへの熱伝導を抑制し易くすることができる。これによって、熱交換ロータ１０は、回転を停止した状態で、且つ第１部位１４ａと第２部位１４ｂとに各々異なる空気を流す場合（詳細は後述する）等の際に、前記熱伝達に伴う、第１部位１４ａや第２部位１４ｂでの、通気路１６を流れる空気との意図しない（目的としない）熱交換を生じ難くすることができる。そのため、熱交換ロータ１０は、回転を停止した前記場合等の際に、前記意図しない熱交換による熱交換ロータ１０や前記空気等の熱損失を軽減し易くすることができる。
【００２３】
前述した熱交換ロータ１０の作用効果の具体的に説明するため、以下、前記熱交換ロータ１０を空調機器１に用いた場合を説明する。なお、前記熱交換ロータ１０は、空調機器１に用いる場合、例えば、空気の除湿や加湿を行う調湿ロータ２ａ等の潜熱式の熱交換ロータ１０と、空気の加熱や冷却を行う調温ロータ３ａ等の顕熱式の熱交換ロータ１０とがある。
【００２４】
まず、熱交換ロータ１０を潜熱式で用いた場合を、図３に示す空調機器１を例にとり説明する。この場合、空調機器１は、図３に示すように、屋外から屋内へ空気を流す給気流路４（一次側流路）と、屋内から屋外へ空気を流す排気流路６（二次側流路）と、調湿ロータ２ａで調湿を行う調湿部２と、排気流路６の空気を加熱する加熱手段８とを備える。
【００２５】
給気流路４は、送風ファン５を備えており、送風ファン５の駆動によって、屋外から屋内に向けて空気が流動する。排気流路６は、送風ファン７と、加熱手段８とを備えており、送風ファン７の駆動によって、屋内から屋外に向けて空気が流動する。加熱手段８は、排気流路６の送風ファン７より上流側に設けてあり、排気流路６の空気（二次側の空気）を加熱する。
【００２６】
給気流路４及び排気流路６の途中には、調湿部２が配置してあり、給気流路４及び排気流路６は各々、調湿部２の区画された異なる領域（詳細は後述する）を流れる。そして、給気流路４及び排気流路６は、調湿部２より下流側に送風ファン５，７が設けてあり、送風ファン５，７を駆動することで、各流路内を夫々空気が流動する。また、排気流路６は、調湿部２より上流側に加熱手段８が設けてあり、調湿部２には加熱手段８で加熱した空気が流入される。
【００２７】
調湿部２は給気流路４及び排気流路６に跨って設けてある。具体的には、給気流路４の送風ファン５より上流側と、排気流路６の加熱手段８と送風ファン７の間とに跨って設けてある。そして、調湿部２は、図４に示すように、ケース２０と、調湿ロータ２ａ（熱交換ロータ１０）と、駆動部３０（図５参照）と、枠部材２３（図５参照）と、軸部材２４とを備える。
【００２８】
ケース２０は、正面視矩形の箱状で、調湿ロータ２ａと軸部材２４と駆動部３０と枠部材２３とが内部に配置してある。そして、ケース２０は、基材１４の外径と略同寸の正面視円形状の開口部２１を二つ有する。二つの開口部２１は、ケース２０の互いに対向した周面に設けてあり、二つの開口部２１は円状の開口面が正面視略重なって位置する。
【００２９】
また、ケース２０は各開口部２１の円の中心を通る一つの直線上に、仕切り部２２を備えており、仕切り部２２は開口部２１を略半周で二つに区画する。そして、各開口部２１は、対向する各々の一方の半周開口が、給気流路４に連通する給気側開口２１ａになっており、各々の残りの一方の半周開口が、排気流路６に連通する排気側開口２１ｂになっている。
【００３０】
言い換えると、対向する二つの開口部２１は、給気側開口２１ａ同士が対向して位置し正面視で重なり、排気側開口２１ｂ同士が対向して位置し正面視で重なる。そして、ケース２０内部は、仕切り部２２によって、給気流路４として機能する領域（一次側の領域）と、排気流路６として機能する領域（二次側の領域）とに区画される。
【００３１】
仕切り部２２は前記直線上の中点に、軸部材２４が取り付けてある。軸部材２４は円柱状で、円柱の両端がケース２０（仕切り部２２）に固定してある。そして、軸部材２４は芯部材１１に略同心で挿通してあり、調湿ロータ２ａを軸周り（円周方向）に回転自在でケース２０に支持する。
【００３２】
そのため、調湿ロータ２ａは軸方向の端面が夫々異なる開口部２１から露出する。そして、調湿ロータ２ａは、給気側開口２１ａに端面の露出した部位が、給気側の領域として機能し、排気側開口２１ｂに端面の露出した部位が、排気側の領域として機能する。これによって、給気流路４は、熱交換ロータ１０の給気側の領域となる部位を介して、上流側と下流側とが連通し、排気流路６は、熱交換ロータ１０の排気側の領域となる部位を介して、上流側と下流側とが連通する。
【００３３】
枠部材２３は、基材１４に比べて熱伝導性の低い（熱伝導に劣る）部材で形成してある。そして、枠部材２３は、図５に示すように、調湿ロータ２ａの外周の略全体を覆った状態で、調湿ロータ２ａに固定してある。そのため、枠部材２３は調湿ロータ２ａと一体で回転する。また、枠部材２３は、外周或いは軸方向の一端に駆動部３０の駆動を受ける歯部等の駆動入力部を有する。
【００３４】
駆動部３０は、モータ等の駆動源３１と、駆動源３１の駆動を熱交換ロータ１０に回転駆動として伝達する駆動伝達部３２とを備える。駆動伝達部３２は、例えば、駆動源３１（モータ）の駆動を伝達する無限帯状のベルトになっている。このベルトは複数の歯部を内周面に有する。そして、このベルトは前記歯部を介して、モータに設けた出力歯車と前記駆動入力部とに噛み合うことで、モータの駆動を駆動入力部に伝達する。これによって、駆動部３０は調湿ロータ２ａを軸部材２４の軸周りに回転させる。そのため、調湿ロータ２ａは、軸方向の両端面を開口部２１から露出した状態で、駆動部３０の駆動によって回転する。
【００３５】
また、調湿ロータ２ａはシート材１５が、例えば、シリカゲルやゼオライト粉末等の乾燥剤（不図示）を板面（円筒の周面）に担持したシート状の紙部材で形成してある。そして、基材１４は乾燥剤を担持したことで、セパレータ１３に比べて熱伝導性の高い（熱伝導に優れた）部材になっている。
【００３６】
更に、調湿ロータ２ａは、半周部位（第１部位１４ａや第２部位１４ｂ）が、給気側の領域と排気側の領域とに跨って位置することで、給気側で乾燥剤への吸湿によって空気を除湿し、排気側で乾燥剤からの放湿によって空気を加湿する。そして、調湿ロータ２ａは、回転することで、給気側の空気（一次側の空気）の除湿に伴い水分を含んだ給気側の部位が、排気側の領域に移動する。移動した前記部位は、排気側の領域で、排気側の加熱された空気（二次側の空気）を加湿する。更に、移動した前記部位は、この加湿動作によって、乾燥剤が脱水されるため、再度乾燥剤で除湿可能な状態に戻り、また回転に伴い給気側の領域に戻る。
【００３７】
言い換えると、調湿ロータ２ａは、半周部位が給気側と排気側とに跨って位置することで、給気側と排気側との間で熱伝達を生じて、給気側や排気側で熱交換が行われて、給気側や排気側の空気の湿度が調整される。そして、調湿部２は、給気側の領域が、給気側の空気を除湿する除湿機構として機能し、排気側の領域が、乾燥剤の吸湿機能を再生する再生機構として機能する。
【００３８】
そのため、空調機器１は、屋外の空気を除湿して屋内に供給し、この除湿で得た水分で、屋内の空気を加湿して屋外に排出する。これによって、空調機器１は、除湿に伴う水分用の貯留部の満水等での除湿機能（吸湿機能）の低下や中断を抑制して、除湿しながらの換気を継続して行い易くすることができる。更に、空調機器１は、貯水部等を設けずにすむため、構成の大型化等を生じ難くしたり、貯水部の排水等のメンテナンスの手間等を軽減したりし易くすることができる。
【００３９】
また言い換えると、空調機器１は、除湿して換気を行う除湿換気モードを有する。そして、このモードが、熱交換ロータ１０（調湿ロータ２ａ）を回転状態にして熱交換を行う回転熱交換モードになっている。そして、空調機器１は、このモードの他に、湿度を調整せずに換気を行う非調湿換気モードを有する。
【００４０】
非調湿換気モードでは、送風ファン５，７を駆動して、給気流路４及び排気流路６の各々に空気を流通する。このとき、調湿部２は駆動部３０の駆動を停止して調湿ロータ２ａを回転させない状態（回転停止状態）になっており、加熱手段８は加熱動作を行わない状態になっており、一次側と二次側との熱交換を行い難い状態にしてある。つまり、このモードが、熱交換ロータ１０（調湿ロータ２ａ）を回転停止状態にして、意図して熱交換を行わない停止非熱交換モードになっている。そして、調湿ロータ２ａは、セパレータ１３を仕切り部２２と正面視略重なる位置で回転を停止する。
【００４１】
そのため、二つの半周部位（第１部位１４ａ及び第２部位１４ｂ）は、一方が一次側の領域に位置して、一次側流路に連通する一次側の領域として機能する。そして、残りの一方が二次側の領域に位置して、二次側の流路に連通する二次側の領域として機能する。言い換えると、停止非熱交換モードの際に、調湿ロータ２ａは、二つの半周部位のうち、一方の半周部位が一次側の部位１２ａ（一次側の領域）のみを形成し、残りの一方の半周部位が二次側の部位１２ｂ（二次側の領域）のみを形成する。
【００４２】
つまり、空調機器１や調湿ロータ２ａは、停止非熱交換モードの際に、調湿部２（調湿ロータ２ａ）の一次側の領域と二次側の領域とが、セパレータ１３で熱的に分断した状態になる。そのため、空調機器１や調湿ロータ２ａは、停止非熱交換モードの際に、一次側と二次側との間での熱伝達を抑制し易くすることができる。これによって、空調機器１や調湿ロータ２ａは、停止非熱交換モードの際に、一次側や二次側での、前記熱伝達に伴う意図しない熱交換を抑制し易くすることできて、調湿ロータ２ａや流通する空気等の、前記熱交換による熱損失を軽減し易くすることができる。
【００４３】
次に、顕熱式の場合を説明する。なお、前述の調湿ロータ２ａの場合と、重複する説明は省略する。
【００４４】
顕熱式の場合、熱交換ロータ１０は、例えば、基材１４での吸熱で空気を冷却したり、基材１４からの放熱で空気を加熱したり等、空気の温度を調整する調温ロータ３ａに用いることができる。そして、この調温ロータ３ａは、例えば、空調機器１の調温部３に用いられる。空調機器１は、図６に示すように、給気流路４と、排気流路６と、調温部３とを備える。給気流路４及び排気流路６の下流側には各々送風ファン５，７が設けてあり、上流側には各々加熱手段８，９が設けてある。
【００４５】
調温部３は送風ファン５，７と加熱手段８，９との間で給気流路４と排気流路６とに跨って設けてある。そして、調温部３は、調温ロータ３ａとして機能する熱交換ロータ１０と、開口部２１に仕切り部２２を有したケース２０と、軸部材２４と、駆動部３０と、枠部材２３とを備える。
【００４６】
調温ロータ３ａは、基材１４と、セパレータ１３と、芯部材１１とを備える。そして、基材１４はシート材１５（第１シート材１５ａ、第２シート材１５ｂ）が、例えば、シート状の、アルミニウム等の金属部材で形成してあり、セパレータ１３に比べて熱伝導性の高い（熱伝導に優れた）部材になっている。なお、調温ロータ３ａは、調湿ロータ２ａと異なり、乾燥剤を担持していない。
【００４７】
そして、調温ロータ３ａは半周部位が一次側の領域及び二次側の領域に跨って位置することで、一次側の部位１２ａと二次側の部位１２ｂとの間に熱伝達を生じる。そして、この熱伝達に伴い調温ロータ３ａは、例えば、給気側の空気（一次側の空気）を加熱し、排気側の空気（二次側の空気）を冷却する。もちろん、一次側の領域で冷却し、二次側の領域で加熱してもよい。
【００４８】
また、空調機器１は、前述の空気を加熱や冷却等調温して換気を行う調温換気モード（回転熱交換モード）と、空気を調温せずに換気を行う非調温換気モード（停止非熱交換モード）とを有する。そして、調温ロータ３ａは、停止非熱交換モードの際に、セパレータ１３が正面視仕切り部２２の略全体に重なって位置する。これによって、調温ロータ３ａは二つの半周部位（第１部位１４ａと第２部位１４ｂ）のうち、一方が一次側の部位１２ａ（一次側の領域）のみを形成し、残りの一方が二次側の部位１２ｂ（二次側の領域）のみを形成する。
【００４９】
このように、空調機器１や調温ロータ３ａは、停止非熱交換モードの際に、調温部３（調温ロータ３ａ）の一次側の領域と二次側の領域とが、セパレータ１３で熱的に分断した状態になる。そのため、空調機器１や調温ロータ３ａは、停止非熱交換モードの際に、一次側と二次側との間での熱伝達を抑制し易くすることができる。これによって、空調機器１や調温ロータ３ａは、停止非熱交換モードの際に、一次側や二次側での、前記熱伝達に伴う意図しない熱交換を抑制し易くすることできて、調温ロータ３ａや流通する空気等の、前記熱交換による熱損失を軽減し易くすることができる。
【００５０】
なお、本発明は上記例示の実施形態の構成のみに限定されるものではなく、本発明の意図する範囲内であれば、各実施形態において適宜の設計変更を行うことが可能である。例えば、熱交換ロータ１０は、円柱状に限らず、正面視多角形状であってもよい。また例えば、熱交換ロータ１０は、セパレータ１３で二つに区画したものに限らず、給気流路４や排気流路６等の数と同数、或いは整数倍に区画したものであればよい。そして、整数倍に区画した場合、非調温換気モードの際に、セパレータ１３で区画した領域が各々、複数の流路のうちのいずれか一つのみに夫々連通するもの（複数の流路に跨って連通することがないもの）であればよい。
【００５１】
また例えば、セパレータ１３は、中空箱状の部材や正面視Ｈ字状の部材等で形成して、前記直線の略全長に亘って空間を有したものであってもよい。この場合、セパレータ１３は、前記空間で第１部位１４ａと第２部位１４ｂとを熱的に分断することができる。更に、箱状の場合、内部を外気や基材１４の流路に比べて低圧の減圧空間としたり、内部に断熱部材等を配置したりして、熱的に分断してもよい。
【００５２】
また例えば、駆動伝達部３２は、ベルトに限らず、駆動源３１の駆動を熱交換ロータ１０に伝達可能なものであればよく、例えば、平歯車やウォームギア等の歯車や、複数の歯車を組み合わせた歯車組等であってもよい。
【００５３】
また例えば、調湿部２を備えた空調機器１の場合、給気流路４の上流側に加熱手段８や調温ロータ３ａ等を設けて、加熱した空気を調湿部２の給気側の領域に流入可能とした加湿換気モードと、非調湿換気モードとを有したものであってもよい。この場合、さらに除湿換気モードを有してもよい。つまり、調湿部２を備えた空調機器１の場合、除湿又は加湿を行う調湿換気モードと、非調湿換気モードとを有したものであればよい。また例えば、調湿部２を備えた空調機器１の場合、給気流路４の下流側に顕熱式の熱交換ロータ１０を設ける等で、調湿し且つ調温した空気を給気流路４から屋内に供給可能としてもよい。
【００５４】
また、一次側や二次側の定義は、例示の構成のみに限らず、一次側を排気側として二次側を給気側としたものや、一次側や二次側が給気と排気とを切替自在のもの等であってもよい。また、一次側と二次側の流路は、給気と排気の組み合わせに限らず、例えば、一次側と二次側との二つの流路のうち、一方或いは両方を、屋内の空気を循環させる循環用の流路としたもの等であってもよい。また、空調機器１は、屋内と屋外との間で空気を流動させているが、室内と室外との間等の異なる二つの空間に置き換えてもよく、さらに循環用の流路を有した場合、一つの空間（同じ空間）であってもよい。
【符号の説明】
【００５５】
１  空調機器
２ａ  調湿ロータ
３ａ  調温ロータ
１０  熱交換ロータ
１３  セパレータ
１４  基材
【図１】
2013200051.tif 000003
【図２】
2013200051.tif 000004
【図３】
2013200051.tif 000005
【図４】
2013200051.tif 000006
【図５】
2013200051.tif 000007
【図６】
2013200051.tif 000008